(57)【要約】【課題】高放熱床暖房端末が接続されている場合であっても、床表面温度が急激に低下することなく、ホットダッシュ運転を行うことが可能な床暖房装置を提供する。【解決手段】床暖房装置は、床暖房パネル３０が低放熱性床暖房端末である場合、暖房運転開始から所定期間、定常暖房運転時の第１の設定温度より高温の第２の設定温度に変更させ、床暖房パネル３０が高放熱性床暖房運転端末である場合、暖房運転開始から所定期間、第１の設定温度より高温であって第２の設定温度より低温の第３の設定温度に変更させるホットダッシュ温度設定部を備える。【選択図】図１
2015017727.tif 000002
【特許請求の範囲】
【請求項１】
室内を暖房する床暖房端末と、
前記床暖房端末に熱媒を供給する熱媒供給機と、
前記熱媒の温度を検知する熱媒温度検知部と、
前記床暖房端末が、放熱特性が高い高放熱性床暖房端末であるか、放熱特性が低い低放熱性床暖房端末であるかを判定する判定部と、
暖房運転時における前記熱媒の温度を第１の設定温度に設定する温度設定部と、
前記熱媒温度検知部で検知される温度が前記温度設定部で設定された温度となるように前記熱媒供給機を制御する制御部と、
前記判定部が前記床暖房端末が低放熱性床暖房端末であると判定した場合、暖房運転開始から第１の期間、前記温度設定部が設定する温度を、前記第１の設定温度より高温の第２の設定温度に変更させ、前記判定部が前記床暖房端末が高放熱性床暖房運転端末であると判定した場合、暖房運転開始から第２の期間、前記温度設定部が設定する温度を、前記第１の設定温度より高温であって前記第２の設定温度より低温の第３の設定温度に変更させるホットダッシュ温度設定部とを備えることを特徴とする床暖房装置。
【請求項２】
請求項１に記載の床暖房装置において、
前記ホットダッシュ温度設定部は、前記判定部が前記床暖房端末が高放熱性床暖房運転端末であると判定した場合、前記暖房運転開始から前記第２の期間より短い第３の期間、前記温度設定部が設定する温度を前記第２の設定温度とし、前記第３の期間が経過後、前記第３の設定温度に変更させることを特徴とする床暖房装置。
【請求項３】
請求項２に記載の床暖房装置において、
前記床暖房端末によって暖房される室内の温度を検知する室温検知部と、
前記室内の目標温度を設定する室温設定部とを備え、
前記ホットダッシュ温度設定部は、前記室温検知部が検知した温度が、前記室温設定部で設定された目標温度に対して予め設定された温度差を越えて低い場合、前記第３の設定温度よりも高温の予め設定された第４の設定温度に変更する、又は、前記第２の期間をこれより長い予め設定された期間に変更する、若しくは、前記第３の期間をこれより長い予め設定された期間に変更することを特徴とする床暖房装置。
【発明の詳細な説明】
【技術分野】
【０００１】
本発明は、床暖房端末が接続された循環路内を循環する熱媒を加熱して暖房を行う床暖房装置に関する。
【背景技術】
【０００２】
従来より、床暖房端末が接続された循環路内を循環する熱媒を加熱させて、床暖房端末からの放熱によって室内を暖房する床暖房装置が知られている。
【０００３】
床暖房装置は、床暖房端末からの放熱によって室内を間接的に暖房するので、暖房開始時に、室内温度が目標温度に達するまで時間がかかる。そこで、室内温度を目標温度に上昇させるまでの時間を短縮するために、暖房開始から一定時間のみ、床暖房装置に供給される熱媒の温度を定常の暖房運転時よりも高温に変更するホットダッシュ運転が行われる場合がある（例えば、特許文献１，２参照）。
【０００４】
特許文献１には、測定された室内温度の高低に応じて、ホットダッシュ時間の長短を定めることが記載されている。
【０００５】
ところで、床暖房端末には、放熱特性が高く床表面温度上昇が早い高放熱性端末と、放熱特性が低く床表面温度上昇が遅い低放熱性端末とが存在する。放熱特性が異なる複数の床暖房端末が床暖房装置に接続されている場合、ホットダッシュ運転を行うと、高放熱性端末により暖房される室内の温度が設定温度より高くなり過ぎ、室内にいる人に不快感を与えるおそれがある。
【０００６】
そこで、特許文献２には、高放熱性端末のホットダッシュ運転時間を、低放熱性端末のホットダッシュ運転時間よりも短く設定することが記載されている。
【０００７】
また、特許文献３には、ホットダッシュ運転時、床端末装置の放熱特性に応じて、デューティ制御の単位周期時間内において、熱媒温度を高温に設定する時間を変更させることが記載されている。
【先行技術文献】
【特許文献】
【０００８】
【特許文献１】特開平９−１１２９３２号公報
【特許文献２】特開２００６−１７４０８号公報
【特許文献３】特開２００２−３９５５２号公報
【発明の概要】
【発明が解決しようとする課題】
【０００９】
特許文献１，２に記載された技術ではホットダッシュ運転終了時、特許文献３に記載された技術ではホットダッシュ運転時の熱媒の設定温度が高温に設定される期間が終了した時、床暖房端末に供給される熱媒の温度は、定常の暖房運転時と同じ温度に急激に低下する。
【００１０】
しかしながら、このように熱媒の温度が急激に低下すると、高放熱性端末の床表面温度が急激に低下し、室内にいる人に不快感を与えるおそれがある。
【００１１】
本発明はかかる背景に鑑みてなされたものであり、高放熱性の床暖房端末が接続されている場合であっても、床表面温度が急激に低下することなく、ホットダッシュ運転を行うことが可能な床暖房装置を提供することを目的とする。
【課題を解決するための手段】
【００１２】
本発明は上記目的を達成するためになされたものであり、本発明は、室内を暖房する床暖房端末と、前記床暖房端末に熱媒を供給する熱媒供給機と、前記熱媒の温度を検知する熱媒温度検知部と、前記床暖房端末が、放熱特性が高い高放熱性床暖房端末であるか、放熱特性が低い低放熱性床暖房端末であるかを判定する判定部と、暖房運転時における前記熱媒の温度を第１の設定温度に設定する温度設定部と、前記熱媒温度検知部で検知される温度が前記温度設定部で設定された温度となるように前記熱媒供給機を制御する制御部と、前記判定部が前記床暖房端末が低放熱性床暖房端末であると判定した場合、暖房運転開始から第１の期間、前記温度設定部が設定する温度を、前記第１の設定温度より高温の第２の設定温度に変更させ、前記判定部が前記床暖房端末が高放熱性床暖房運転端末であると判定した場合、暖房運転開始から第２の期間、前記温度設定部が設定する温度を、前記第１の設定温度より高温であって前記第２の設定温度より低温の第３の設定温度に変更させるホットダッシュ温度設定部とを備えることを特徴とする。
【００１３】
本発明によれば、床暖房端末が低放熱性床暖房端末である場合には、暖房開始時から第１の期間内は、定常の暖房運転時の第１の設定温度より高温の第２の設定温度に加熱された熱媒が床暖房端末に供給されてホットダッシュ運転が行われる。よって、床暖房端末が設置された室内を素早く暖房することができる。
【００１４】
一方、床暖房端末が高放熱性床暖房端末である場合には、暖房開始時から第２の期間内は、定常の暖房運転時の第１の設定温度より高温ではあるが第２の設定温度よりは低温の第３の設定温度に加熱された熱媒が床暖房端末に供給されてホットダッシュ運転が行われる。よって、床暖房端末が設置された室内をある程度急速に暖房することができると共に、暖房される室内の温度が目標温度より高くなり過ぎて、室内にいる人に不快感を与えるおそれを解消することができる。
【００１５】
そして、ホットダッシュ運転終了（第２の期間経過）後、床暖房端末に供給される熱媒の温度は第３の設定温度から第１の設定温度に低下するが、その温度低下は、第２の設定温度から第１の設定温度に低下するほどには大きくない。よって、床表面温度が急激に低下して、室内にいる人に不快感を与えるおそれを解消することができる。なお、第１の期間と第２の期間とは、同じ長さの期間であっても、異なる長さの期間であってもよい。
【００１６】
本発明において、前記ホットダッシュ温度設定部は、前記判定部が前記床暖房端末が高放熱性床暖房運転端末であると判定した場合、前記暖房運転開始から前記第２の期間より短い第３の期間、前記温度設定部が設定する温度を前記第２の設定温度とし、前記第３の期間が経過後、前記第３の設定温度に変更させることが好ましい。
【００１７】
この場合、暖房開始時から最初の第３の期間内は、第３の設定温度より高温の第２の設定温度の熱媒が床暖房端末に供給されてホットダッシュ運転が行われる。よって、床暖房端末によって室内を急速に暖房することができる。そして、第３の期間経過後、第２の期間が経過するまでは、床暖房端末に供給される熱媒の温度は第２の設定温度から第３の設定温度に低下する。そのため、暖房される室内の温度が目標温度より高くなり過ぎるおそれ、及び、床表面温度が急激に低下するおそれを解消することができる。
【００１８】
また、本発明において、前記床暖房端末によって暖房される室内の温度を検知する室温検知部と、前記室内の目標温度を設定する室温設定部とを備え、前記ホットダッシュ温度設定部は、前記室温検知部が検知した温度が、前記室温設定部で設定された目標温度に対して予め設定された温度差を越えて低い場合、前記第３の設定温度よりも高温の予め設定された第４の設定温度に変更する、又は、前記第２の期間をこれより長い予め設定された期間に変更する、若しくは、前記第３の期間をこれより長い予め設定された期間に変更することが好ましい。
【００１９】
この場合、暖房される室内の温度が目標温度より予め設定された温度差を越えて低い場合、床表面温度が急激に低下することなく、床暖房端末によって室内をより急速に暖房することができる。
【図面の簡単な説明】
【００２０】
【図１】本発明の実施形態に係る床暖房装置の構成図。
【図２】床暖房運転のフローチャート。
【図３】床暖房運転の他の例を示すフローチャート。
【発明を実施するための形態】
【００２１】
本発明の実施形態に係る床暖房装置について、図１を参照して説明する。床暖房装置は、熱媒として水（温水）を使用する。
【００２２】
床暖房装置は、温水供給ユニット（本発明の熱媒供給機に相当する）１０と、温水供給ユニット１０から温水回路２０を介して接続された床暖房パネル３０（本発明の床暖房端末に相当する）とを備えている。床暖房パネル３０は、それぞれ床に設置され、温水回路２０内を循環する温水からの放熱によって、室内の暖房を行う。
【００２３】
温水供給ユニット１０は、温水を生成する熱源機１１、温水を循環させるポンプ１２、熱源機１１から温水が流出する往き側温水通路１３ａ、熱源機１１に温水が還流する戻り側温水通路１３ｂ、及び、温水回路２０に接続点ａ，ｂで接続される接続通路１３ｃを備えている。往き側温水通路１３ａ、戻り側温水通路１３ｂ及び接続通路１３ｃを合わせて、温水供給ユニット内温水回路１３ともいう。
【００２４】
熱源機１１は、熱交換器１１ａ、熱交換器１１ａを加熱するバーナ１１ｂ、バーナ１１ｂに燃焼用空気を供給する燃焼ファン１１ｃ、及び、バーナ１１ｂに燃料ガスを供給するガス供給管１１ｄを備えている。そして、ガス供給管１１ｄには、バーナ１１ｂに供給する燃料ガスを調整する電磁弁１１ｅが設けられている。
【００２５】
温水供給ユニット１０は、さらに、戻り側温水通路１３ｂの上流側に接続され、温水が貯められて温水の膨張と収縮を吸収する大気開放型のシスターン１４、接続通路１３ｃの接続点ｂの上流側に設けられた熱動弁１５、及び、往き側温水通路１３ａに設けられた戻り弁１６を備えている。なお、大気開放型のシスターン１４に代えて、密閉式の膨張タンクを用いてもよい。
【００２６】
温水供給ユニット１０は、さらに、往き側温水通路１３ａに設けられ、熱源機１１から流出する温水の温度を検出する往き側温水温度センサ１７ａ、戻り側温水通路１３ｂに設けられ、熱源機１１に流入する温水の温度を検出する戻り側温水温度センサ１７ｂ（本発明の熱媒温度検知部に相当し、以下、単に温水温度センサ１７ｂともいう）、及び、温水供給ユニット１０の全体的な作動を制御するコントローラ１８を備えている。
【００２７】
コントローラ１８は、マイクロコンピュータやメモリ等により構成された電子ユニットである。コントローラ１８は、床暖房パネル３０の運転時には、熱動弁１５及び戻り弁１６を開弁した状態でポンプ１２を作動させ、温水温度センサ１７ｂの検出温度が所定の設定温度（例えば４０℃、６０℃、８０℃）となるようにバーナ１１ｂの加熱量を制御して、床暖房パネル３０に温水を供給して、暖房運転を行う。また、コントローラ１８は、タイマ１９に接続されている。
【００２８】
コントローラ１８は、床暖房パネル３０が高放熱性床暖房端末であるか低放熱性床暖房端末であるかを判定する判定部、定常の暖房運転時における温水の温度を第１の設定温度に設定する温度設定部、温水温度センサ１７ｂで検知される温度が温度設定部で設定された温度となるように温水供給ユニット１０を制御する制御部、及び、「ホットダッシュモード」の暖房運転時における温水の温度を第２から第４の設定温度の何れかの温度に設定するホットダッシュ温度設定部を備えている。制御部は、燃焼ファン１１ｃの回転数と電磁弁１１ｅの開度を調節することによって、バーナ１１ｂの加熱量（バーナ１１ｂの燃焼量）を制御する。
【００２９】
温水回路２０には、温水回路２０から戻る温水と熱源機１１で加熱されて往き側温水通路１３ａを介して供給される温水とが混合された、シスターン１４内の温水が供給される。
【００３０】
床暖房パネル３０は、床暖房運転を指示する各種のスイッチ等が設けられた床暖房操作パネル３１、床及び、床暖房パネル３０が設置された室内の温度を検出する室温センサ３２（本発明の室温検知部に相当する）を備えている。
【００３１】
床暖房操作パネル３１は、床暖房の開始・停止やホットダッシュの開始・停止を指示する、図示しないスイッチ等の他、床暖房操作パネル３１は、室内の目標温度を手動で設定する室温設定部３１ａを備えている。
【００３２】
床暖房パネル３０は、詳細は図示しないが、例えば、仕上げ用床材に用いられるフローリング材の厚みに応じて、放熱特性が高い高放熱性床暖房端末と放熱特性が低い低放熱性床暖房端末とに区別される。高放熱性床暖房端末は、フローリング材の厚みが例えば３ｍｍと薄く、床材からの放熱度が大きい。一方、低放熱性床暖房端末は、フローリング材の厚みが例えば１２ｍｍと厚く、床材からの放熱度が小さい。なお、高放熱性床暖房端末と低放熱性床暖房端末との区別は相対的なものであり、実際の床暖房パネル３０を区別するための閾値の設定等は、床暖房装置の設計者等が行えばよい。
【００３３】
床暖房操作パネル３１は、床暖房の開始・停止等の指示が入力されたときに、コントローラ１８に対してその指示を示す信号を送信する。
【００３４】
これにより、熱源機１１が作動を開始して温水供給ユニット１０から床暖房パネル３０への温水供給が開始される。コントローラ１８は、室温センサ３２の検出温度と床暖房操作パネル３１の室温設定部３１ａにより設定された目標室温との差が減少するように、熱動弁１５の開閉デューティ（所定周期における熱動弁１５が開状態である期間の割合）を調節する。これにより、温水供給ユニット１０から床暖房パネル３０への温水の供給量が調節されて、床暖房パネル３０から室内に放出される熱量が制御される。
【００３５】
以下、コントローラ１８により、床暖房装置を床暖房運転させるときの処理について、図２に示したフローチャートに従って説明する。
【００３６】
コントローラ１８は、使用者が床暖房操作パネル３１による床暖房の開始操作を行ったときに、図２のフローチャートによる処理を開始し、ＳＴＥＰ１で「ホットダッシュモード」の実行条件が成立しているか否かを判断する。
【００３７】
例えば、床暖房運転開始から１時間を経過していないこと、及び、使用者が床暖房操作パネル３１によりホットダッシュを指示していることが、「ホットダッシュモード」の実行条件に設定されている。
【００３８】
そして、「ホットダッシュモード」の実行条件が成立しているときはＳＴＥＰ２に進み、コントローラ１８は、ＳＴＥＰ２以下による「ホットダッシュモード」での暖房運転を実行する。
【００３９】
一方、「ホットダッシュモード」の実行条件が成立していないときにはＳＴＥＰ８に分岐する。この場合は、「ホットダッシュモード」での暖房運転は実行されず、コントローラ１８の温度設定部は、定常の暖房運転時における第１の設定温度（例えば４０℃）を温水の設定温度として設定する。そして、コントローラ１８は、上述したように、温水供給ユニット１０から床暖房パネル３０に第１の設定温度の温水を供給する「定常暖房モード」での暖房運転を実行する。
【００４０】
ＳＴＥＰ２で、コントローラ１８は、タイマ１９をスタートさせる。タイマ時間は、予め設定された所定の期間（例えば３０分又は６０分、本発明の第１の期間、及び第２の期間に相当する）に設定される。
【００４１】
また、ＳＴＥＰ３で、コントローラ１８の判定部は、床暖房パネル３０が高放熱性床暖房端末であるか低放熱性床暖房端末であるかを判定する。この判定は、例えば、床暖房操作パネル３１から受信する識別信号によって判定する。この識別信号は、例えば、床暖房パネル３０が高放熱性床暖房端末であるか低放熱性床暖房端末であるかを識別する信号であり、床暖房パネル３０が高放熱性床暖房端末であるか低放熱性床暖房端末であるかによって相違する床暖房操作パネル３１から送信される信号である。
【００４２】
なお、識別信号は、床暖房パネル３０が高放熱性床暖房端末であるか低放熱性床暖房端末であるかに応じて、床暖房パネル３０の設置者によって、床暖房操作パネル３１のスイッチ等への選択に基づいて送信される信号であってもよい。
【００４３】
ＳＴＥＰ３で、床暖房パネル３０は低放熱性床暖房端末であると判定した場合には、ＳＴＥＰ４に進む。一方、床暖房パネル３０が高放熱性床暖房端末であると判定した場合には、ＳＴＥＰ６に進む。
【００４４】
ＳＴＥＰ４で、コントローラ１８のホットダッシュ温度設定部は、温水温度を予め設定された第２の設定温度（例えば８０℃）に設定する。そして、コントローラ１８の制御部は、温水温度センサ１７ｂの検出温度が第２の設定温度となるように、バーナ１１ｂの加熱量を制御する「ホットダッシュモード」での暖房運転を行う（高温８０℃制御）。なお、第２の設定温度は、第１の設定温度よりも高温である。
【００４５】
そして、次のＳＴＥＰ５でタイマ１９がタイムアップしたときにＳＴＥＰ８に進む。ＳＴＥＰ５でタイムアップしたタイマ１９に、ＳＴＥＰ２で設定されたタイマ時間が、本発明の第１の期間に相当する。
【００４６】
ＳＴＥＰ３で、床暖房パネル３０は高放熱性床暖房端末であると判定した場合、ＳＴＥＰ６で、コントローラ１８のホットダッシュ温度設定部は、温水温度を予め設定された第３の設定温度（例えば６０℃）に設定する。そして、コントローラ１８の制御部は、温水温度センサ１７ｂの検出温度が第３の設定温度となるように、バーナ１１ｂの加熱量を制御する「ホットダッシュモード」での暖房運転を行う（低温６０℃制御）。なお、第３の設定温度は、第１の設定温度よりも高温であり、且つ、第２の設定温度よりも低温である。
【００４７】
そして、次のＳＴＥＰ７でタイマ１９がタイムアップしたときにＳＴＥＰ８に進む。ＳＴＥＰ７でタイムアップしたタイマ１９に、ＳＴＥＰ２で設定されたタイマ時間が、本発明の第２の期間に相当する。なお、ＳＴＥＰ２で設定されるタイマ時間は、床暖房パネル３０が低放熱性床暖房端末である場合の第１の期間と、高放熱性床暖房端末である場合の第２の期間とで相違するものであってもよい。
【００４８】
ＳＴＥＰ５又はＳＴＥＰ７でタイマがタイムアップしたとき、ＳＴＥＰ８で、コントローラ１８は、「ホットダッシュモード」を終了して「定常暖房モード」での暖房運転に移行する。
【００４９】
定常暖房モードでの暖房運転では、開閉デューティ制御が行われる。即ち、コントローラ１８は、予め設定された所定の単位時間（例えば２０分）当たりの開弁時間を設定して、単位時間（例えば２０分）毎に熱動弁１５の閉弁（例えば１５分）と開弁（例えば５分）とを繰り返す。開弁時間は、例えば、室温センサ３２の検出温度Ｔｄと床暖房操作パネル３１の室温設定部３１ａにより設定された目標室温Ｔｔとの温度差ΔＴ（＝Ｔｄ−Ｔｔ）に基づいて、図示しない記憶部に格納されたマップ等を参照して設定される。
【００５０】
以上のように、床暖房パネル３０が低放熱性床暖房端末である場合には、暖房開始時から所定の期間内は、定常の暖房運転時の第１の設定温度（例えば４０℃）より高温の第２の設定温度（例えば８０℃）に加熱された温水が床暖房パネル３０に供給されてホットダッシュ運転が行われる。よって、床暖房パネル３０が設置された室内を素早く暖房することができる。
【００５１】
一方、床暖房パネル３０が高放熱性床暖房端末である場合には、暖房開始時から所定の期間内は、定常の暖房運転時の第１の設定温度（例えば４０℃）より高温ではあるが第２の設定温度（例えば８０℃）よりは低温の第３の設定温度（例えば６０℃）に加熱された温水が床暖房パネル３０に供給されてホットダッシュ運転が行われる。よって、床暖房パネル３０が設置された室内をある程度急速に暖房することができると共に、暖房される室内の温度が目標温度より高くなり過ぎて、室内にいる人に不快感を与えるおそれがない。
【００５２】
さらに、ホットダッシュ運転終了後、床暖房パネル３０に供給される温水の温度は第３の設定温度（例えば６０℃）から第１の設定温度（例えば４０℃）に低下するが、その温度低下は、従来のように、第２の設定温度（例えば８０℃）から第１の設定温度（例えば４０℃）に低下するほどには大きくない。よって、床表面温度が急激に低下して、室内にいる人に不快感を与えるおそれがない。
【００５３】
以下、コントローラ１８により、床暖房装置を床暖房運転させるときの処理について、図３に示したフローチャートに従って説明する。この処理は、図２にフローチャートに従って上述した処理の変形であり、相違点についてのみ説明する。
【００５４】
ＳＴＥＰ３で、コントローラ１８の判定部が床暖房パネル３０は高放熱性床暖房端末であると判定した場合、ＳＴＥＰ１１で、コントローラ１８のホットダッシュ温度設定部は、温水温度を予め設定された第２の設定温度（例えば８０℃）に設定する。そして、コントローラ１８の制御部は、温水温度センサ１７ｂの検出温度が第２の設定温度となるように、バーナ１１ｂの加熱量を制御する「ホットダッシュモード」での暖房運転を行う（高温８０℃制御）。
【００５５】
そして、次のＳＴＥＰ１２でタイマがさらに予め設定された所定の時間（例えば１５分、本発明の第３の設定時間に相当する）経過したときにＳＴＥＰ１３に進む。
【００５６】
ＳＴＥＰ１３で、コントローラ１８のホットダッシュ温度設定部は、温水温度を予め設定された第３の設定温度（例えば６０℃）に設定する。そして、コントローラ１８の制御部は、温水温度センサ１７ｂの検出温度が第３の設定温度となるように、バーナ１１ｂの加熱量を制御する「ホットダッシュモード」での暖房運転を行う（低温６０℃制御）。
【００５７】
そして、次のＳＴＥＰ１４でタイマ１９がタイムアップしたときにＳＴＥＰ８に進む。
【００５８】
ＳＴＥＰ８では、コントローラ１８は、「ホットダッシュモード」を終了して「定常暖房モード」での暖房運転に移行する。
【００５９】
以上のように、暖房開始時から最初の所定の期間（例えば１５分）内は、第３の設定温度（例えば６０℃）より高温の第２の設定温度（例えば８０℃）の温水が床暖房パネル３０に供給されてホットダッシュ運転が行われる。よって、床暖房パネル３０が設置された室内を急速に暖房することができる。
【００６０】
そして、最初の所定の第３の期間（例えば１５分）経過後、所定の第２の期間が経過するまでは、床暖房パネル３０に供給される温水の温度は第２の設定温度（例えば８０℃）から第３の設定温度（例えば６０℃）に低下する。そのため、暖房される室内の温度が目標温度より高くなり過ぎるおそれ、及び、床表面温度が急激に低下するおそれがない。なお、第３の期間は、第２の期間の一部であり、第２の期間より短い。
【００６１】
なお、実施形態では、図２のＳＴＥＰ６及び図３のＳＴＥＰ１３により、「ホットダッシュモード」での暖房運転では、温水温度センサ１７ｂの検出温度が第３の設定温度（例えば６０℃）となるように、バーナ１１ｂの加熱量を制御するように暖房運転を行っている（低温６０℃制御）。しかし、ここで設定される第３の設定温度は予め設定された一定の温度である場合に限定されない。
【００６２】
例えば、室温センサ３２の検出温度Ｔｄと床暖房操作パネル３１により設定された目標室温Ｔｔとの温度差ΔＴ（＝Ｔｄ−Ｔｔ）に基づいて、ホットダッシュ温度設定部が設定する第３の設定温度を変更してもよい。これらにより、暖房される室内の温度が目標温度より高くなり過ぎることや、床表面温度が急激に低下することなく、床暖房パネル３０が設置された室内をより急速に暖房することができる。
【００６３】
例えば、ΔＴが所定の温度差（例えば１℃）以上である場合、ホットダッシュ運転が必要ないので、第３の設定温度を、例えば低温６０℃に設定する。ΔＴが所定の温度範囲内（例えば、−１℃＜ΔＴ＜１℃）である場合、第３の設定温度を、例えば中温７２℃に設定する。そして、ΔＴが所定の温度差（例えば、−１℃）以下である場合、急速なホットダッシュ運転を必要とするので、第３の設定温度を、例えば高温８０℃（本発明の第４の設定温度に相当する）に設定する。
【００６４】
また、例えば、ΔＴが所定の温度範囲内（例えば、−１℃＜ΔＴ＜１℃）である場合、第３の設定温度を、例えば中温７２℃に設定する。そして、第３の設定温度が中温７２℃に設定された状態で、ΔＴが所定の温度差（例えば１℃）以上となった場合、第３の設定温度を、例えば低温６０℃に変更する。そして、逆に、第３の設定温度が低温６０℃に設定された状態で、ΔＴが所定の温度差（例えば０．５℃）未満となった場合、第３の設定温度を、例えば中温７２℃に変更する。
【００６５】
一方、第３の設定温度が中温７２℃に設定された状態で、ΔＴが所定の温度差（例えば−１℃）以下となった場合、第３の設定温度を、例えば高温８０℃に設定する。そして、逆に、第３の設定温度が高温８０℃に設定された状態で、ΔＴが所定の温度差（例えば−０．５℃）未満となった場合、第３の設定温度を、例えば中温７２℃に設定する。
【００６６】
さらに、実施形態では、図２のＳＴＥＰ６で、「ホットダッシュモード」での暖房運転において、温水温度センサ１７ｂの検出温度が第２の設定温度（例えば６０℃）となるように、ＳＴＥＰ７で、バーナ１１ｂの加熱量を制御するように予め設定された一定の第２の期間（例えば３０分）が経過するまで温度暖房運転を行っている（低温６０℃制御）。しかし、設定される第２の期間時間は予め設定された一定の期間である場合に限定されない。
【００６７】
例えば、室温センサ３２の検出温度Ｔｄと床暖房操作パネル３１により設定された目標室温Ｔｔとの差ΔＴ（＝Ｔｄ−Ｔｔ）に基づいて、第２の期間を変更してもよい。
【００６８】
例えば、ΔＴが所定の温度範囲内（例えば−１℃＜ΔＴ＜１℃）である場合、第３の期間を、例えば３０分に設定する。ΔＴが所定の温度差（例えば１℃）以上である場合、ホットダッシュ運転が必要ないので、第２の期間を、より短い期間、例えば１５分に設定する。そして、ΔＴが所定の温度差（例えば−１℃）以下である場合、長時間のホットダッシュ運転を必要とするので、第３の期間を、より長い期間、例えば４５分に設定する。
【００６９】
さらに、実施形態では、図３のＳＴＥＰ１１で、「ホットダッシュモード」での暖房運転において、温水温度センサ１７ｂの検出温度が第２の設定温度（例えば８０℃）となるように、ＳＴＥＰ１２で、バーナ１１ｂの加熱量を制御するように予め設定された一定の第３の期間（例えば１５分）が経過するまで温度暖房運転を行っている（高温８０℃制御）。しかし、設定される第３の期間時間は予め設定された一定の期間である場合に限定されない。
【００７０】
例えば、室温センサ３２の検出温度Ｔｄと床暖房操作パネル３１により設定された目標室温Ｔｔとの差ΔＴ（＝Ｔｄ−Ｔｔ）に基づいて、第３の期間を変更してもよい。
【００７１】
例えば、ΔＴが所定の温度範囲内（例えば−１℃＜ΔＴ＜１℃）である場合、第３の期間を、例えば１５分に設定する。ΔＴが所定の温度差（例えば１℃）以上である場合、ホットダッシュ運転が必要ないので、第３の期間を、より短い期間、例えば０分に設定する。そして、ΔＴが所定の温度差（例えば−１℃）以下である場合、急速なホットダッシュ運転を必要とするので、第３の期間を、より長い期間、例えば３０分に設定する。
【００７２】
以上、本発明の実施形態について図面を参照して説明したが、本発明はこれに限定されない。例えば、実施形態では、本発明の熱媒供給機が、熱交換器１１ａとガスを燃料とするバーナ１１ｂを備えた温水供給ユニット１０である場合について説明した。しかし、本発明の熱媒供給機は、熱交換器と石油バーナとを備えた構成、電気ヒータ等を備えた他の構成からなるものであってもよい。
【００７３】
また、本実施形態では、熱媒として温水を用いた床暖房装置について説明した。しかし、本発明の熱媒は、不凍液等の他の種類の熱媒であってもよい。
【００７４】
また、本実施形態では、コントローラ１８の判定部は、床暖房操作パネル３１から受信する識別信号によって、床暖房パネル３０が高放熱性床暖房端末であるか低放熱性床暖房端末であるか判定している。しかし、判定部での判定方法はこれに限定されない。例えば、定常の床暖房運転に先立って行われる試運転時に室温の上昇度合いを室温センサ３２により検出し、この検出結果から床材の放熱度を推定することによって、床暖房パネル３０が高放熱性床暖房端末であるか低放熱性床暖房端末であるか判定してもよい。
【符号の説明】
【００７５】
１０…温水供給ユニット（熱媒供給機）、  １１…熱源機、  １１ａ…熱交換器、  １１ｂ…バーナ、  １１ｂｃ…燃焼ファン、  １１ｄ…ガス供給管、  １２…ポンプ、  １３…温水供給ユニット内温水回路、  １３ａ…往き側温水通路、  １３ｂ…戻り側温水通路、  １３ｃ…接続通路、  １４…シスターン、  １５…熱動弁、  １６…戻り弁、  １７ａ…往き側温水温度センサ、１７ｂ…戻り側温水温度センサ、温水温度センサ（熱媒温度検知部）、  １８…コントローラ、  １９…タイマ、  ２０…温水回路  、３０…床暖房パネル（床暖房端末）、  ３１…床暖房操作パネル、  ３１ａ…室温設定部、  ３２…室温センサ（室温検知部）。
【図１】
2015017727.tif 000003
【図２】
2015017727.tif 000004
【図３】
2015017727.tif 000005